(57)【要約】【課題】溝または集水桝への設置時、容器に収容した薬剤を用いて前記溝または集水桝における害虫の発生を防止できるだけでなく、前記容器が不衛生な状態で前記薬剤の補充作業を行うことを回避できるグレーチングを提供する。【解決手段】グレーチング１は、貫通孔１７、および、害虫防除用の薬剤２０を通過させるための通過孔１８を有し、上面部１５が外部空間７に臨みかつ下面部１５が内部空間に臨むように集水桝２の開口部１０に装着され得るグレーチング本体１１と、収容部３１、導入口３２、および、放出孔３３を有し、導入口３２が収容部３１の内部空間をグレーチング本体１１の通過孔１８と連通させかつ開口部１０へのグレーチング本体１１の装着時に放出孔３３が集水桝２の内部空間６に臨むように、グレーチング本体１１の下面部１６側に設けられた容器１２とを備える。通過孔１８は、１つの貫通孔１７の開口面積よりも大きい開口面積を有する。【選択図】図１
2019056258.tif 000002
【特許請求の範囲】
【請求項１】
上面部、下面部、前記上面部から前記下面部まで貫通する複数の貫通孔、および、害虫防除用の薬剤を通過させるために前記上面部から前記下面部まで貫通する通過孔を有し、前記上面部が溝または集水桝の外部空間に臨みかつ前記下面部が前記溝または集水桝の内部空間に臨むように前記溝または集水桝の開口部に装着可能に構成されたグレーチング本体と、
前記薬剤を収容するための収容部、前記収容部の内部空間に前記薬剤を導入するための導入口、および、前記収容部の内部空間から前記収容部の外部空間へ前記薬剤を放出するための放出孔を有し、前記導入口が前記収容部の内部空間を前記グレーチング本体の通過孔と連通させかつ前記溝または集水桝の開口部への前記グレーチング本体の装着時に前記放出孔が前記溝または集水桝の内部空間に臨むように、前記グレーチング本体の下面部側に設けられた容器とを備え、
前記通過孔は、前記複数の貫通孔のうちの１つの貫通孔の開口面積よりも大きい開口面積を有する、グレーチング。
【請求項２】
前記容器の導入口を前記グレーチング本体側から遮蔽することができるように構成された遮蔽部材と、
前記遮蔽部材が前記容器の導入口を前記グレーチング本体側から遮蔽する第１の状態、および、前記第１の状態における前記遮蔽部材の遮蔽状態を解除する第２の状態をとり得るように、前記グレーチング本体が前記溝または集水桝の開口部に装着されたときに前記遮蔽部材を前記溝または集水桝の外部空間側から操作可能に構成された切替機構とを備える、請求項１に記載のグレーチング。
【請求項３】
前記遮蔽部材は、当該遮蔽部材を上下方向に貫通する通孔を有し、
前記通孔は、前記遮蔽部材が前記第１の状態である場合に、前記溝または集水桝の外部空間に向かって開口されかつ前記容器の収容部の内部空間に向かって開口されるように構成される、請求項２に記載のグレーチング。
【発明の詳細な説明】
【技術分野】
【０００１】
本発明は、グレーチングに関する。
【背景技術】
【０００２】
従来、排水・汚水の流通路をなす溝または集水桝には、グレーチングが設置されたものがある。そして、このような溝または集水桝のうちの任意の領域（例えば、水が滞留しやすい領域）に対して、蚊またはハエ等の害虫が発生することを防止するために、害虫防除手段が適用されることがある。
【０００３】
前記害虫防除手段としては、例えば、特許文献１（図４等）に、害虫忌避剤を収容した害虫防除具を集水桝の溜まり水に没するように吊下手段により前記集水桝の開口部側から宙吊りして、水没状態にある前記害虫防除具から前記集水桝の溜まり水に前記害虫忌避剤を放出するものが開示されている。
【先行技術文献】
【特許文献】
【０００４】
【特許文献１】特開２０１６−０９６７７８号公報
【発明の概要】
【発明が解決しようとする課題】
【０００５】
特許文献１に記載のような害虫防除手段によれば、害虫防除具が、集水桝内で水中に設置されるので、前記集水桝内の水に含まれる泥等の汚物によりひどく汚れる場合が多い。そのため、汚れた前記害虫防除具および吊下手段を前記集水桝から取り出し、不衛生な前記害虫防除具に対して害虫忌避剤を補充しなければならない問題がある。
【０００６】
本発明は、このような問題に鑑みてなされたものであり、溝または集水桝への設置時、容器に収容した薬剤を用いて前記溝または集水桝における害虫の発生を防止できるだけでなく、前記容器が不衛生な状態で前記薬剤の補充作業を行うことを回避できるグレーチングの提供を目的とする。
【課題を解決するための手段】
【０００７】
本発明は、
上面部、下面部、前記上面部から前記下面部まで貫通する複数の貫通孔、および、害虫防除用の薬剤を通過させるために前記上面部から前記下面部まで貫通する通過孔を有し、前記上面部が溝または集水桝の外部空間に臨みかつ前記下面部が前記溝または集水桝の内部空間に臨むように前記溝または集水桝の開口部に装着可能に構成されたグレーチング本体と、
前記薬剤を収容するための収容部、前記収容部の内部空間に前記薬剤を導入するための導入口、および、前記収容部の内部空間から前記収容部の外部空間へ前記薬剤を放出するための放出孔を有し、前記導入口が前記収容部の内部空間を前記グレーチング本体の通過孔と連通させかつ前記溝または集水桝の開口部への前記グレーチング本体の装着時に前記放出孔が前記溝または集水桝の内部空間に臨むように、前記グレーチング本体の下面部側に設けられた容器とを備え、
前記通過孔は、前記複数の貫通孔のうちの１つの貫通孔の開口面積よりも大きい開口面積を有する、グレーチングである。
【０００８】
この構成によれば、前記グレーチングの使用時、即ち前記グレーチング本体を前記溝または集水桝の開口部に装着したとき、前記収容部に収容した前記薬剤を前記溝または集水桝の内部空間へ前記放出孔を介して放出することが可能となる。したがって、前記薬剤を用いて、前記溝または集水桝における害虫の発生を防止できる。
【０００９】
しかも、前記グレーチングの使用時、前記収容部の内部空間を、前記容器の導入口および前記グレーチング本体の通過孔を介して、前記溝または集水桝の外部空間（前記グレーチングの外側領域）に露出させることが可能となる。したがって、前記グレーチング本体が前記集水桝の開口部に装着された状態のまま、前記薬剤を前記溝または集水桝の外部空間から前記収容部に入れることができる。
【００１０】
よって、前記薬剤を、前記溝または集水桝の外部空間から、前記グレーチング本体の通過孔と前記容器の導入口とを介して、前記収容部に導入し、これにより前記収容部（前記容器）に補充することができる。前記薬剤の補充作業時には、前記容器への前記薬剤の補充を行うために、前記グレーチング本体を前記溝または集水桝の開口部から取り外す必要がない。
【００１１】
前記グレーチング本体が前記溝または集水桝の開口部に装着された状態で時間が経過して、前記溝または集水桝内の水に含まれる泥等の汚物により前記グレーチングの容器が汚れた場合に、その容器の衛生状態にかかわりなく、薬剤の補充作業を行うことが可能となる。よって、不衛生な状態で薬剤の補充作業を行うことを回避できる。
【００１２】
また、前記通過孔が、前記複数の貫通孔のうちの１つの貫通孔の開口面積よりも大きい開口面積を有するので、前記グレーチング本体において前記貫通孔を通過できずとも前記通過孔を通過できる薬剤を、前記グレーチングに用いることが可能となる。したがって、前記グレーチングに使用可能な薬剤に関して、薬剤の形状や大きさの多様化を図り、薬剤の種類を増やすことができる。
【００１３】
本発明の別の態様によれば、
前記グレーチングが、
前記容器の導入口を前記グレーチング本体側から遮蔽することができるように構成された遮蔽部材と、
前記遮蔽部材が前記容器の導入口を前記グレーチング本体側から遮蔽する第１の状態、および、前記第１の状態における前記遮蔽部材の遮蔽状態を解除する第２の状態をとり得るように、前記グレーチング本体が前記溝または集水桝の開口部に装着されたときに前記遮蔽部材を前記溝または集水桝の外部空間側から操作可能に構成された切替機構とを備える。
【００１４】
この構成によれば、前記遮蔽部材を前記第１の状態にすることによって、前記グレーチングの使用時に、前記薬剤を収容した前記収容部の内部空間に前記導入口を介してゴミ等の不要物が入ることを抑制できる。また、前記遮蔽部材を前記第２の状態にすることによって、前記薬剤を前記収容部の内部空間に前記導入口を介して入れることが可能となる。
【００１５】
したがって、前記グレーチング本体を前記溝または集水桝の開口部に装着した後であっても、前記グレーチング本体を前記溝または集水桝の開口部から取り外すことなく、前記切替機構により前記遮蔽部材の状態を任意の時期に切り替えて、前記薬剤を、前記集水桝の外部空間から前記グレーチング本体の通過孔および前記容器の導入口を介して前記容器に補充することができる。
【００１６】
本発明の更なる態様によれば、
前記遮蔽部材が、当該遮蔽部材を上下方向に貫通する通孔を有し、
前記通孔が、前記遮蔽部材が前記第１の状態である場合に、前記溝または集水桝の外部空間に向かって開口されるとともに、前記容器の収容部の内部空間に向かって開口されるように構成される。
【００１７】
この構成によれば、前記グレーチングの使用時に、前記遮蔽部材を前記容器の導入口を遮蔽するように前記第１の状態にすると、前記収容部の内部空間を、前記通孔を介して前記集水桝の外部空間に露出させることが可能となる。そのため、水を、前記集水桝の外部空間から前記遮蔽部材の通孔を介して前記容器の収容部の内部空間に導入することが可能となる。
【００１８】
したがって、この際に、前記グレーチング本体を前記溝または集水桝の開口部から取り外さず、また前記切替機構を操作せずに、降雨等の自然現象や人為的な給水行為による水を前記収容部の内部空間へ導入することができる。結果、前記薬剤を水溶性薬剤とした場合に、前記薬剤を水に簡便に溶かして、前記集水桝の内部空間へ放出することができる。
【発明の効果】
【００１９】
本発明によれば、溝または集水桝への設置時、容器に収容した薬剤を用いて前記溝または集水桝における害虫の発生を防止できるだけでなく、前記容器が不衛生な状態で前記薬剤の補充作業を行うことを回避できるグレーチングを提供できる。
【図面の簡単な説明】
【００２０】
【図１】本発明の第１実施形態に係るグレーチングの使用状態の一例を示す断面図である。
【図２】図１のグレーチングの平面図である。
【図３】図２のＡ−Ａ矢視断面図である。
【図４】図２のＢ−Ｂ矢視断面図である。
【図５】図２のグレーチングにおけるグレーチング本体の平面図である。
【図６】図２のグレーチングにおける容器の平面図である。
【図７】本発明の第２実施形態に係るグレーチングの平面図である。
【図８】図７のＣ−Ｃ矢視断面図である。
【図９】図７のＤ−Ｄ矢視断面図である。
【図１０】図６のグレーチングにおける遮蔽部材の切替手順を示す図である。
【発明を実施するための形態】
【００２１】
まず、本発明の第１実施形態について図面を参照しつつ説明する。
【００２２】
図１に、本発明の第１実施形態に係るグレーチング１の使用状態の一例を表す断面図を示す。
【００２３】
図１に示されるように、グレーチング１は、排水・汚水の流通路（本実施形態においては、排水・汚水を集水するための集水桝２）に対して使用され得る。グレーチング１は、その使用時、集水桝２内の水（溜水部３）をその上方から覆うことができるように、集水桝２に設置される。
【００２４】
集水桝２は、本実施形態においては、流入管４と流出管５とに接続されている。ここで、流入管４は、集水桝２の内部空間６に向かって排水・汚水を流入させるためのものである。流出管５は、集水桝２からその外側へ排水・汚水を流出させるためのものである。
【００２５】
集水桝２は、グレーチング１を設置するための開口部８を有している。開口部８は、集水桝２の内部空間６と外部空間７とを連通させるように、地面９の高さに合わせて設けられている。そしてこの開口部８に、グレーチング１を支持するための受部１０が形成されている。
【００２６】
なお、本発明に係るグレーチングは、本実施形態においては集水桝２に使用されるグレーチング１としているが、これに限定するものではなく、例えば、排水・汚水の流通路に含まれる側溝（排水・汚水を流通させ得る溝）に使用されるグレーチングとすることも可能である。
【００２７】
図２に、グレーチング１の平面図を示す。図３に、図２のＡ−Ａ矢視断面図を示す。図４に、図２のＢ−Ｂ矢視断面図を示す。図５に、グレーチング１におけるグレーチング本体１１の平面図を示す。図６に、グレーチング１における容器１２の平面図を示す。
【００２８】
以下では、図２および図４の各々における矢印Ｘの方向をグレーチング１の前方向とする。図２および図３の各々における矢印Ｙの方向をグレーチング１の左方向とする。図４および図５の各々における矢印Ｚの方向をグレーチング１の上方向とする。
【００２９】
図２、図３、図４に示されるように、グレーチング１は、グレーチング本体１１と、容器１２とを備えている。
【００３０】
図２、図３、図４、図５に示されるように、グレーチング本体１１は、上面部１５と、下面部１６と、上面部１５から下面部１６まで貫通する複数の貫通孔１７とを有している。グレーチング本体１１は、害虫防除用の薬剤２０を通過させるために上面部１５から下面部１６まで貫通する通過孔１８を更に有している。
【００３１】
そして、グレーチング本体１１は、図１に示すように、集水桝２に対するグレーチング１の使用のために、上面部１５が集水桝２の外部空間７に臨みかつ下面部１６が集水桝２の内部空間６に臨むように、集水桝２の開口部８に装着可能に構成されている。
【００３２】
本実施形態において、グレーチング本体１１は、集水桝２の開口部８に応じた形状、具体的には矩形板状を有している。グレーチング本体１１は、集水桝２の開口部８への装着時に受部１０に載置される。グレーチング本体１１は、メインバー２５と、クロスバー２６と、エンドバー２７とを備えている。
【００３３】
メインバー２５は、金属製の部材である。メインバー２５は、複数設けられている。複数のメインバー２５は、それぞれ、グレーチング１の前後方向に延在するように配置されている。複数のメインバー２５は、また、グレーチング１の左右方向において一定間隔ごとに配置されている。
【００３４】
クロスバー２６は、金属製の部材である。ここで、クロスバー２６は、角鋼棒を捩じって形成された、いわゆるツイストバーである。クロスバー２６は、複数設けられている。複数のクロスバー２６は、それぞれ、グレーチング１の左右方向に延在するように配置されている。
【００３５】
複数のクロスバー２６は、また、グレーチング１の前後方向において一定間隔ごとに配置されている。各クロスバー２６は、複数のメインバー２５の上端部に固定されている。こうして、複数のクロスバー２６が、複数のメインバー２５と格子状に組まれている。
【００３６】
エンドバー２７は、金属製の部材である。エンドバー２７は、複数のメインバー２５の前方および後方の各々に設けられている。前側のエンドバー２７は、複数のメインバー２５の前端部に固定されている。後側のエンドバー２７は、複数のメインバー２５の後端部に固定されている。
【００３７】
そして、これらのメインバー２５、クロスバー２６およびエンドバー２７を適宜用いて、複数の貫通孔１７が形成されている。複数の貫通孔１７は、グレーチング１の前後方向に直線状に列をなすように配置されるとともに、グレーチング１の左右方向に直線状に列をなすように設けられている。
【００３８】
複数の貫通孔１７は、メインバー２５とクロスバー２６とにより形成される複数の第１貫通孔１７Ａと、メインバー２５とクロスバー２６とエンドバー２７とにより形成される複数の第２貫通孔１７Ｂとを含んでいる。各第１貫通孔１７Ａは、他の第１貫通孔１７Ａの開口面積と略同一の大きさの開口面積を有している。
【００３９】
各第２貫通孔１７Ｂは、他の第２貫通孔１７Ｂの開口面積と略同一の大きさでありかつ各第１貫通孔１７Ａの開口面積よりも小さい開口面積を有している。なお、複数の貫通孔１７の開口面積は、このような開口面積に限定されず、例えば、互いに異なる開口面積であってもよい。
【００４０】
さらに、これらのメインバー２５、クロスバー２６およびエンドバー２７を適宜用いて、少なくとも１つの通過孔１８が形成されている。通過孔１８は、本実施形態においては、グレーチング本体１１に１つ備えられており、２つのメインバー２５の一部と２つのクロスバー２６の一部とにより形成されている。
【００４１】
通過孔１８は、薬剤２０の通過のために、グレーチング本体１１を上下方向に貫通するように設けられている。通過孔１８は、複数の貫通孔１７と略平行に配置されるとともに、それらのうちの複数の第１貫通孔１７Ａに囲まれた状態でグレーチング本体１１の中央部付近に配置されている。
【００４２】
そして、通過孔１８は、複数の貫通孔１７のうちの１つの貫通孔１７（第１貫通孔１７Ａ、第２貫通孔１７Ｂ）の開口面積よりも大きい開口面積を有している。本実施形態において、通過孔１８は、４つの第１貫通孔１７Ａの開口面積を足し合わせた開口面積と略同一または若干大きい開口面積を有している（図５参照）。
【００４３】
なお、通過孔１８の開口面積は、薬剤２０に応じて適宜設定され得る。すなわち、通過孔１８の開口面積は、グレーチング１において用いられる薬剤を通過させ得る大きさあればよく、その薬剤の形状や大きさに応じて適宜設定され得る。
【００４４】
通過孔１８は、具体的には、複数のクロスバー２６と複数のメインバー２５とが格子状に組まれた状態で、複数のクロスバー２６のうち一部のクロスバー２６の左右方向（延在方向）中途部が、グレーチング１の前後方向に連続的に除去（切断）されることによりかたちづくられる。
【００４５】
このように、通過孔１８は、公知のグレーチングとほぼ同じ構成を有するグレーチング本体１１を準備した後、グレーチング本体１１に設けることができるものとなっている。すなわち、本発明における通過孔は、前述のような手段を採用することによって、既存のグレーチングに後付けで設けることも可能である。
【００４６】
図２、図３、図４、図６に示されるように、容器１２は、薬剤２０を収容するための収容部３１と、収容部３１の内部空間に薬剤２０を導入するための導入口３２と、収容部３１の内部空間から収容部３１の外部空間へ薬剤２０を放出するための放出孔３３とを有している。
【００４７】
そして、容器１２は、導入口３２が収容部３１の内部空間をグレーチング本体１１の通過孔１８と連通させかつグレーチング本体１１が集水桝２の開口部８に装着されたときに放出孔３３が集水桝２の内部空間６に臨むように、グレーチング本体１１の下面部１６側に設けられている。
【００４８】
本実施形態において、容器１２は、グレーチング本体１１に対して１つ設けられている。なお、容器１２は、グレーチング本体１１に対して少なくとも１つ設けられるものであり、グレーチング本体１１の通過孔１８の数に応じて複数設けることも可能である。
【００４９】
容器１２は、着脱機構３５により、グレーチング本体１１に対して殆ど移動しないように（ここでは相対移動不能）に、グレーチング本体１１の下面部１６側に固定（固着）されている。容器１２は、グレーチング本体１１と隣り合うように、当該グレーチング本体１１のすぐ下に配置されている。
【００５０】
収容部３１は、金属製の部材である。収容部３１は、薬剤２０を収容できる形状、本実施形態においては箱状に形成されている。詳しくは、収容部３１は、中空の直方体状に形成されている。そして、収容部３１は、グレーチング本体１１にその下方へ突出するように設けられている。
【００５１】
収容部３１は、グレーチング本体１１の前後幅よりも小さくかつ通過孔１８の前後幅よりも小さい前後幅を有している。収容部３１は、グレーチング本体１１の左右幅よりも小さくかつ通過孔１８の左右幅に対してほぼ同一の左右幅を有している。
【００５２】
収容部３１は、さらに、グレーチング本体１１の上下幅よりも大きい上下幅を有している。なお、収容部３１の形状は、薬剤２０を収容することができ、かつ、グレーチング本体１１が集水桝２の開口部８に装着される際にその装着を妨げないものであればよい。
【００５３】
図６に示されるように、収容部３１は、底部４１と、周壁部（前壁部４２、後壁部４３、左壁部４４および右壁部４５）とを有している。収容部３１は、その天井部（上部）が開放されるように形成されている。そしてこの容器１２の天井部に、導入口３２が備えられている。
【００５４】
底部４１は、矩形平板状に形成されており、グレーチング本体１１と同様に前後・左右に広がるように配置されている。底部４１は、グレーチング本体１１の前後・左右の中央部付近の下方に、グレーチング本体１１の下面部１６から離間した状態で設けられている。
【００５５】
前壁部４２および後壁部４３は、それぞれ、矩形平板状に形成されており、上下・左右に広がるように配置されている。前壁部４２および後壁部４３は、それぞれ、底部４１の前端部および後端部に、グレーチング本体１１側（上方）に向かって突出するように設けられている。
【００５６】
左壁部４４および右壁部４５は、それぞれ、矩形平板状に形成されており、上下・前後に広がるように配置されている。左壁部４４および右壁部４５は、それぞれ、底部４１の左端部および右端部に、グレーチング本体１１側（上方）に向かって突出するように設けられている。
【００５７】
こうして、収容部３１に、底部４１とその四方に配置された前記周壁部、即ち前壁部４２、後壁部４３、左壁部４４および右壁部４５により形成された内部空間が形成されている。そしてこの内部空間に、薬剤２０が、底部４１に載置されかつ前記周壁部により囲まれた状態で収容され得るようになっている。
【００５８】
また、放出孔３３は、グレーチング本体１１が集水桝２の開口部８に装着されたとき、収容部３１の内部空間（薬剤２０が収容された収容空間）を、収容部３１の外部空間に、即ち集水桝２の内部空間６に連通させるように設けられている。放出孔３３は、丸孔状に形成されている。
【００５９】
放出孔３３は、収容部３１に少なくとも１つ設けられている。本実施形態において、放出孔３３は収容部３１に複数設けられている。複数の放出孔３３は、それぞれ収容部３１の左壁部４４にこれを左右方向に貫通するように設けられ、この左壁部４４の上部に分散した状態で配置されている。
【００６０】
なお、本発明における放出孔は、本実施形態においては前述のような放出孔３３としているが、これに限定するものではなく、例えば、長孔状に形成された１つの放出孔としてもよいし、収容部３１の左壁部４４の下部に配置された複数の放出孔としてもよい。
【００６１】
また、着脱機構３５は、容器１２をグレーチング本体１１に対して着脱可能に固定することができるように構成されている。本実施形態において、着脱機構３５は、固定部材４６と、取付部材４７と、ナット４８と、ボルト４９とを有している。
【００６２】
固定部材４６は、グレーチング本体１１に固定されている。取付部材４７は、容器１２の収容部３１に左壁部４４からグレーチング本体１１側（上方）に向かって突出するように設けられている。そしてこの取付部材４７が、固定部材４６にナット４８およびボルト４９により着脱可能に締結されている。
【００６３】
なお、本発明における容器は、本実施形態においては前述のように着脱機構３５によりグレーチング本体１１に着脱可能に固定された容器１２としているが、これに限定するものではなく、例えば、溶接等によりグレーチング本体１１の下面部１６側に固定される容器であってもよい。
【００６４】
また、収容部３１（容器１２）に収容される薬剤２０としては、蚊またはハエ等の害虫の発生を防止できる公知の害虫防除用薬剤を採用することができる。この薬剤としては、例えば、商品名：スミラブ固形剤WM「SES」（住化エンバイロメンタルサイエンス株式会社製）を挙げることができる。
【００６５】
なお、本発明に係るグレーチングに用いられる薬剤は、本実施形態においてはグレーチング本体１１の各貫通孔１７を通過することができない一方、通過孔１８を通過することができる大きさを有する塊状の薬剤２０としているが、これに限定するものではない。
【００６６】
このような構成により、グレーチング１の使用時、即ちグレーチング１を集水桝２に設置したとき（グレーチング本体１１を集水桝２の開口部８に装着したとき）、収容部３１に収容した薬剤２０を集水桝２の内部空間６（溜水部３）へ放出孔３３を介して放出（徐放）することが可能となる。したがって、薬剤２０を用いて、集水桝２における害虫の発生を防止できる。
【００６７】
しかも、グレーチング１の使用時、収容部３１の内部空間を、容器１２の導入口３２およびグレーチング本体１１の通過孔１８を介して、集水桝２の外部空間７（グレーチング１の外側領域）に露出させることが可能となる。したがって、グレーチング本体１１が集水桝２の開口部８に装着された状態のまま、薬剤２０を集水桝２の外部空間７から収容部３１に入れることができる。
【００６８】
よって、薬剤を、集水桝２の外部空間７から、グレーチング本体１１の通過孔１８および容器１２の導入口３２を介して、収容部３１に導入し、これにより収容部３１（容器１２）に補充することができる。薬剤の補充作業時には、容器１２への薬剤の補充を行うために、グレーチング本体１１を開口部８から取り外す必要がない。
【００６９】
グレーチング本体１１が集水桝２の開口部８に装着された状態で時間が経過して、集水桝２内の水に含まれる泥等の汚物等によりグレーチング１の容器１２が汚れた場合に、その容器１２の衛生状態にかかわりなく、薬剤の補充作業を行うことが可能となる。よって、不衛生な状態で薬剤の補充作業を行うことを回避できる。
【００７０】
また、通過孔１８が、複数の貫通孔１７のうちの１つの貫通孔１７の開口面積（第１貫通孔１７Ａの開口面積、第２貫通孔１７Ｂの開口面積）よりも大きい開口面積を有するので、グレーチング本体１１において貫通孔１７を通過できずとも通過孔１８を通過できる薬剤を、グレーチング１に用いることが可能となる。したがって、グレーチング１に使用可能な薬剤に関して、薬剤の形状や大きさの多様化を図り、薬剤の種類を増やすことができる。
【００７１】
さらに、グレーチング１の使用時には、グレーチング本体１１が集水桝２の開口部８に装着された状態で、降雨等の自然現象の発生または人為的な給水行為等による水を、グレーチング本体１１の通過孔１８および容器１２の導入口３２を介して、集水桝２の外部空間７から収容部３１の内部空間（薬剤２０が収容された収容空間）に導入することも可能となる。
【００７２】
したがって、薬剤２０を水溶性薬剤とした場合、収容部３１の内部空間に導入された水により薬剤２０を任意の時期に溶かして集水桝２の内部空間６（溜水部３）に放出（徐放）することができる。よって、薬剤２０を、収容部３１に一旦収容すれば、手間をあまりかけることなく、比較的長期間に亘って効果を持続するものにできる。
【００７３】
次に、本発明の第２実施形態について図面を参照しつつ説明する。
【００７４】
図７に、本発明の第２実施形態に係るグレーチング６１の平面図を示す。図８は、図７のＣ−Ｃ矢視断面図を示す。図９に、図７のＤ−Ｄ矢視断面図を示す。図１０に、グレーチング６１における遮蔽部材６５の切替手順を表す図を示す。
【００７５】
図７、図８、図９、図１０に示されるように、本実施形態に係るグレーチング６１は、遮蔽部材６５および切替機構６６を備える点で、第１実施形態に係るグレーチング１と相違する。
【００７６】
なお、図中、第１実施形態に係るグレーチング１の構成要素と実質的に同じ構成要素については、図中で同じ符号を付して、その説明を適宜省略する。
【００７７】
グレーチング６１において、遮蔽部材６５は、容器１２の導入口３２をグレーチング本体１１側から遮蔽することができるように構成されている。
【００７８】
切替機構６６は、遮蔽部材６５が容器１２の導入口３２をグレーチング本体１１側から遮蔽する第１の状態、および、前記第１の状態における遮蔽部材６５の遮蔽状態を解除する第２の状態をとり得るように、グレーチング本体１１が集水桝２の開口部８に装着されたときに遮蔽部材６５を集水桝２の外部空間７側から操作可能に構成されている。
【００７９】
なお、前記第１の状態とは、具体的には、遮蔽部材６５が図７、図８、図９、図１０（ａ）および（ｂ）に示される状態にある状態を指す。前記第２の状態とは、具体的には、遮蔽部材６５が図１０（ｃ）に示される状態にある状態を指す。
【００８０】
本実施形態において、遮蔽部材６５は、その状態を切替機構６６により第１の状態または第２の状態に切り替えられ得るものである。遮蔽部材６５は、第１の状態に切り替えられたとき、グレーチング１の上下方向において容器１２の導入口３２の全体をほぼ遮蔽することができるように構成されている。
【００８１】
なお、本発明における遮蔽部材は、本実施形態においては容器１２の導入口３２の全体をほぼ遮蔽する遮蔽部材６５としているが、これに限定されず、例えば、グレーチング１の上下方向において容器１２の導入口３２を完全に遮蔽することができるものとしてもよい。
【００８２】
詳しくは、遮蔽部材６５は、矩形板状を有している。遮蔽部材６５は、導入口３２の前後幅よりも大きくかつグレーチング本体１１の通過孔１８よりも小さい前後幅を有している。遮蔽部材６５は、導入口３２および通過孔１８の各々の左右幅より若干小さい左右幅を有している。
【００８３】
遮蔽部材６５は、容器１２の導入口３２の上方（グレーチング本体１１側）に可動するように設けられている。遮蔽部材６５は、前記第１の状態をとる際、グレーチング本体１１の通過孔１８内に配置されるとともに、通過孔１８を形成するメインバー２５とほぼ平行に前後方向に延設される。
【００８４】
このとき、グレーチング１の平面視において、遮蔽部材６５の前後中途部が、容器１２の導入口３２の大部分と重なるように配置される。遮蔽部材６５の前部および後部が、切替機構６６に支持される。この切替機構６６により、遮蔽部材６５は、導入口３２の上方にある所定位置で回動可能に保持され得る。
【００８５】
本実施形態において、切替機構６６は、グレーチング本体１１に設けられている。切替機構６６は、グレーチング本体１１に対して容器１２と反対側（グレーチング１の上方側）から遮蔽部材６５と共に操作可能に構成されている。切替機構６６は、支持部材７１と、保持部材７２とを有している。
【００８６】
支持部材７１は、遮蔽部材６５の長手方向一端部側に設けられており、グレーチング１の前側に配置されている。一方、保持部材７２は、遮蔽部材６５の長手方向他端部側に設けられており、支持部材７１よりも後方に位置するようにグレーチング１の後側に配置されている。
【００８７】
詳しくは、支持部材７１は、第１片状体７５と、筒状体７６と、軸状体７７とを備えている。第１片状体７５は、グレーチング本体１１の通過孔１８の前部空間に配置されている。第１片状体７５は、通過孔１８を形成するメインバー２５の各々に溶接等により固着されている。
【００８８】
筒状体７６は、その軸方向に延びる軸孔を備えている。筒状体７６は、その軸方向がグレーチング１の上下方向となるように、グレーチング本体１１の通過孔１８の前部空間に配置されている。筒状体７６は、第１片状体７５の後方に配置されて、第１片状体７５に溶接等により固着されている。
【００８９】
軸状体７７は、グレーチング本体１１の上下幅に対してほぼ同一または大きい値の長さを有している。軸状体７７は、また、筒状体７６の軸方向長さよりも大きい軸方向長さを有している。軸状体７７は、グレーチング１の上下方向に延在するように、筒状体７６の軸孔に回転自在に挿通されている。
【００９０】
さらに、軸状体７７は、筒状体７６に対してその軸方向（上下方向）に相対移動可能となるように、筒状体７６の軸孔に挿通されている。軸状体７７のうち筒状体７６から下方へ突出する部分には、その筒状体７６に対する抜け止めを行うための抜け止め部材（ナット）７８が設けられている。
【００９１】
軸状体７７のうち筒状体７６から上方へ突出する部分には、遮蔽部材６５が取り付けられている。遮蔽部材６５は、その長手方向一端部で軸状体７７に固定され、軸状体７７からその軸方向とほぼ直交する方向に延設されている。遮蔽部材６５の延設端部（長手方向他端部）には、第１挿通孔８０が設けられている。
【００９２】
また、保持部材７２は、第２片状体８１と、ナット８２と、ボルト８３とを備えている。第２片状体８１は、第２挿通孔８４を有している。第２片状体８１は、グレーチング本体１１の通過孔１８の後部空間に配置されている。第２片状体８１は、通過孔１８を形成するメインバー２５に溶接等により固着されている。
【００９３】
ナット８２は、ネジ孔を有している。ナット８２は、前記ネジ孔が第２片状体８１の第２挿通孔８４と一致するように、第２片状体８１の下方に配置されている。そして、ナット８２は、第２片状体８１に当接した状態で、当該第２片状体８１に固着されている。
【００９４】
ボルト８３は、ナット８２に対応するものである。ボルト８３は、遮蔽部材６５の長手方向他端部を第２片状体８１に対して固定するために、グレーチング本体１１の上方から遮蔽部材６５の第１挿通孔８０と第２片状体８１の第２挿通孔８４に順次挿通された状態でナット８２のネジ孔に螺着され得る。
【００９５】
このような構成により、遮蔽部材６５を支持部材７１により支持しかつ保持部材７２により保持して、遮蔽部材６５を前記第１の状態にすることが可能となる。この第１の状態においては、ナット８２およびボルト８３により、遮蔽部材６５を第２片状体８１に対して固定するようになっている。
【００９６】
そして、遮蔽部材６５が前記第１の状態をとる場合に、次の手順に従って切替機構６６の操作を集水桝２の外部空間７側から行って、遮蔽部材６５を前記第１の状態から前記第２の状態に移行させることが可能となる。すなわち、まず、図１０（ａ）に示すように、ナット８２からボルト８３を外す。
【００９７】
次に、図１０（ｂ）に示すように、遮蔽部材６５をグレーチング本体１１（上面部１５）よりも上方へ引き上げる。この際、抜け止め部材７８が筒状体７６に当たるまで、軸状体７７ひいては遮蔽部材６５を筒状体７６に対して上方へ移動させることが可能となる。
【００９８】
最後に、図１０（ｃ）に示すように、遮蔽部材６５を、軸状体７７を支点として、矢印９０の方向へ回す。グレーチング１の平面視において、遮蔽部材６５が容器１２の導入口３２の大部分と重ならない位置まで回すことによって、遮蔽部材６５の遮蔽状態を解除する前記第２の状態への移行を完了させることができる。
【００９９】
なお、遮蔽部材６５の前記第２の状態から前記第１の状態への移行は、前述の遮蔽部材６５の前記第１の状態から第２の状態への移行の手順とは逆の手順を行うことによって実施できる。
【０１００】
したがって、遮蔽部材６５を前記第１の状態にすることによって、グレーチング１の使用時に、薬剤２０を収容した収容部３１の内部空間に導入口３２を介してゴミ等の不要物が入ることを抑制できる。また、遮蔽部材６５を前記第２の状態にすることによって、薬剤２０を収容部３１の内部空間に導入口３２を介して入れることが可能となる。
【０１０１】
したがって、グレーチング本体１１を集水桝２の開口部８に装着した後であっても、グレーチング本体１１を開口部８から取り外すことなく、切替機構６６により遮蔽部材６５の状態を任意の時期に切り替えて、薬剤を、集水桝２の外部空間７からグレーチング本体１１の通過孔１８および容器１２の導入口３２を介して容器１２に補充することができる。
【０１０２】
また、本実施形態においては、遮蔽部材６５が、通孔８８を有している。この通孔８８は、遮蔽部材６５を上下方向に貫通するように設けられている。そして、通孔８８は、遮蔽部材６５が前記第１の状態である場合に、集水桝２の外部空間７に向かって開口されかつ容器１２の収容部３１の内部空間に向かって開口されるように構成されている。
【０１０３】
詳しくは、通孔８８は、少なくとも１つ設けられている。ここでは、通孔８８は、遮蔽部材６５の長手方向中途部に５つ設けられている。通孔８８は、丸孔状に形成されている。通孔８８は、遮蔽部材６５の長手方向に直線状の列をなすように配置されている。
【０１０４】
このような構成により、グレーチング１の使用時に、遮蔽部材６５を容器１２の導入口３２を遮蔽するように前記第１の状態にすると、収容部３１の内部空間を、通孔８８を介して集水桝２の外部空間７に露出させることが可能となる。そのため、水を、集水桝２の外部空間７から遮蔽部材６５の通孔８８を介して容器１２の収容部３１の内部空間に導入することが可能となる。
【０１０５】
したがって、この際に、グレーチング本体１１を開口部８から取り外さず、また切替機構６６を操作せずに、降雨等の自然現象や人為的な給水行為による水を収容部３１の内部空間へ導入することができる。結果、薬剤２０を水溶性薬剤とした場合に、薬剤２０を水に簡便に溶かして、集水桝２の内部空間６（溜水部３）へ放出（徐放）することができる。
【０１０６】
なお、本発明における通孔は、本実施形態においては前述のような通孔８８としているが、これに限定するものではなく、その数や形状は、容器１２の収容部３１の内部空間への不要物の侵入の阻止や、容器１２の収容部３１の内部空間への水の導入量を考慮して適宜設定することが可能である。
【０１０７】
上述の教示を考慮すれば、本発明が多くの変更形態および変形形態をとり得ることは明らかである。したがって、本発明が、添付の特許請求の範囲内において、本明細書に記載された以外の方法で実施され得ることを理解されたい。
【符号の説明】
【０１０８】
１      グレーチング
２      集水桝
６      集水桝の内部空間
７      集水桝の外部空間
８      集水桝の開口部
１１    グレーチング本体
１２    容器
１５    上面部
１６    下面部
１７    貫通孔
１８    通過孔
２０    薬剤
３１    収容部
３２    導入口
３３    放出孔
６５    遮蔽部材
６６    切替機構
８８    通孔
【図１】
2019056258.tif 000003
【図２】
2019056258.tif 000004
【図３】
2019056258.tif 000005
【図４】
2019056258.tif 000006
【図５】
2019056258.tif 000007
【図６】
2019056258.tif 000008
【図７】
2019056258.tif 000009
【図８】
2019056258.tif 000010
【図９】
2019056258.tif 000011
【図１０】
2019056258.tif 000012